(57)【要約】【課題】打込み初期の貫入抵抗が小さく、しかも保持力も確保することができる段付きコンクリートピンを提供することをその課題とする。【解決手段】拡径頭部側の大径軸部１３ａと、先端側の小径軸部１３ｂとをテーパ状の段部５を介して接続してなるコンクリート２段ピン１において、上記軸部の周面には、軸方向に平行な複数の縦溝７を形成したことを特徴とする。上記大径軸部１３ａの周面にローレット溝を形成することに代え、上記小径軸部１３ｂと大径軸部１３ａの一部又は全周面にコンクリートから抜けにくくするための薬剤１１を塗布してもよい。【選択図】図１
2008115995.tif 000002
【特許請求の範囲】
【請求項１】
拡径頭部側の大径軸部と、先端側の小径軸部とをテーパ状の段部を介して接続してなる段付きコンクリートピンにおいて、
上記大径軸部の周面にローレット溝が形成されていることを特徴とする段付きコンクリートピン。
【請求項２】
上記大径軸部の周面にローレット溝を形成することに代え、上記小径軸部と大径軸部の一部又は全周面にコンクリートから抜けにくくするための薬剤を塗布したことを特徴とする、請求項１に記載の段付きコンクリートピン。
【請求項３】
拡径頭部側の大径軸部と、中間の中間径軸部と、先端側の小径軸部と大径軸部とをテーパ状の段部を介して接続してなることを特徴とする段付きコンクリートピン。
【請求項４】
上記大径軸部と中間径軸部と小径軸部のうち少なくとも小径軸部の周面に、複数の縦溝が形成されていることを特徴とする、請求項３に記載の段付きコンクリートピン。
【請求項５】
上記大径軸部の周面にローレット溝が形成されていることを特徴とする、請求項３に記載の段付きコンクリートピン。
【請求項６】
上記大径軸部と中間径軸部と小径軸部の一部又は全周面にコンクリートから抜けにくくするための薬剤を塗布したことを特徴とする、請求項３、４又は５に記載の段付きコンクリートピン。
【発明の詳細な説明】
【技術分野】
【０００１】
本発明は、コンクリート面に金属板や木板などを固定するために使用される段付きコンクリートピンに関する。
【背景技術】
【０００２】
一般に、コンクリート構造物に軽量鉄骨や金具などを固定する方法として、ストレート形状の焼入れ釘や先端が砲弾形のコンクリートピンを打ち込み工具で打ち込むことが行なわれている。
【０００３】
ところが、コンクリートピンは打込み初期（先端部がコンクリートに進入していくとき）の貫入抵抗が大きいという問題がある。特に近年増えつつある高硬度ＰＣ（ｐｒｅｃａｓｔ  ｃｏｃｒｅｔｅ）材に打込むときには曲がって貫入してしまうというおそれがあった。また、コンクリートピンが瞬間的に大きな力で打込まれると、コンクリートの内部に進入するときの破壊強度によりクラックが発生することが多い。このような欠点を解消するため、コンクリートピンの軸部のうち頭部側を大径とし、先端側を小径とした２段ピンが提案されている。さらに、これらのコンクリート２段ピンの周面には平行な複数の傾斜溝が形成され、打ち込み時には回転しながら貫入して貫入抵抗が小さくなるようにしたものも知られている。また、打込み終了後には、傾斜溝により表面積（接触面積）が増大するようにして引抜き耐力を向上させているものも知られている。
【特許文献１】特開２００４−１４４１２１号公報
【特許文献２】特開２００２−８１４２４号公報
【特許文献３】特開２００４−１８３７０８号公報
【発明の開示】
【発明が解決しようとする課題】
【０００４】
しかしながら、上述の段付きコンクリートピンは、いずれも打込み初期の貫入抵抗は小さいが、打ち込んだ後の保持力がストレート形状のコンクリートピンに比べて低下してしまう傾向にあった。さらに、現在開発、実用化が進められている超高強度コンクリートのような非常に硬いコンクリートには対応不足で、打ち込めないものが多い。
【０００５】
本発明は上記問題点を解消し、打込み初期の貫入抵抗が小さく、しかも打ち込み後の保持力も確保することができる段付きコンクリートピンを提供することをその課題とする。
【課題を解決するための手段】
【０００６】
前記課題を解決するため、本発明は、拡径頭部側の大径軸部と、先端側の小径軸部とをテーパ状の段部を介して接続してなる段付きコンクリートピンにおいて、上記大径軸部の周面にローレット溝が形成されていることを特徴とする。
【０００７】
請求項２に係る発明は、請求項１において、上記大径軸部の周面にローレット溝を形成することに代え、上記小径軸部と大径軸部の一部又は全周面にコンクリートから抜けにくくするための薬剤を塗布したことを特徴とする。
【０００８】
請求項３に係る発明は、拡径頭部側の大径軸部と、中間の中間径軸部と、先端側の小径軸部と大径軸部とをテーパ状の段部を介して接続してなることを特徴とする。
【０００９】
請求項４に係る発明は、請求項３において、上記大径軸部と中間径軸部と小径軸部のうち少なくとも小径軸部の周面に、複数の縦溝が形成されていることを特徴とする。
【００１０】
請求項５に係る発明は、請求項３において、上記大径軸部の周面にローレット溝が形成されていることを特徴とする。
【００１１】
請求項６に係る発明は、請求項３、４又は５において、上記大径軸部と中間径軸部と小径軸部の一部又は全周面にコンクリートから抜けにくくするための薬剤を塗布したことを特徴とする。
【発明の効果】
【００１２】
請求項１に係る発明によれば、先端側の小径部は従来の段付きコンクリートよりも細く形成することにより、打ち込み時の貫入抵抗は小さく、超高強度コンクリートにも対応することができる。しかも、大径軸部の周面にローレット溝が形成され、ローレット溝とコンクリートの貫入孔との間の摩擦が大きいので、保持力が十分に強く、引き抜き耐力が大幅に向上する。
【００１３】
請求項２に係る発明によれば、小径軸部に薬剤が塗布され、この薬剤はコンクリートから抜けにくくするものであるから、コンクリートに打ち込み時には、上記薬剤の潤滑機能により貫入抵抗が低くなり、高硬度コンクリートに対しても容易に貫入することができる。また、貫入後は薬剤が段付きコンクリートピンがコンクリート貫入孔に接着するので、段付きコンクリートピンの保持力は十分に確保され、引抜き耐力が格段に向上する。
【００１４】
請求項３に係る発明によれば、拡径頭部側の大径軸部と、中間の中間径軸部と、先端側の小径軸部と大径軸部とをテーパ状の段部を介して接続してなる段付きコンクリートピンであるから、小径軸部をより小径にして貫入抵抗を小さくすることにより円滑にコンクリートに貫入することができる。また、大径軸部も従来の段付きコンクリートピンよりも大きくすることができるから、段付きコンクリートピンの保持力は十分に確保される。
【００１５】
請求項４に係る発明によれば、少なくとも小径軸部の周面に、複数の縦溝が形成されているから、この縦溝により貫入抵抗は小さくなり、超高強度コンクリートにも柔軟に対応することができる。また、打ち込み後は、縦溝と貫入孔との間の接触面積は大きいので、引き抜き耐力も向上する。
【００１６】
請求項５に係る発明によれば、大径軸部の周面にローレット溝が形成されているから、ローレット溝とコンクリートの貫入孔との間の摩擦が大きく、保持力が十分に強く、引き抜き耐力が大幅に向上する。
【００１７】
請求項６に係る発明によれば、薬剤はコンクリートから抜けにくくするものであるから、コンクリートに打ち込み時には、上記薬剤の潤滑機能により貫入抵抗が低くなり、高硬度コンクリートに対しても容易に貫入することができる。また、貫入後は薬剤が２段ピンがコンクリート貫入孔に接着するので、段付きコンクリートピンの保持力は十分に確保され、引抜き耐力が格段に向上する。
【発明を実施するための最良の形態】
【００１８】
［実施形態１］
図１は本発明に係る２段の段付きコンクリートピン（以下単に２段ピンという）の斜視図である。
【００１９】
上記２段ピン１は、拡径頭部２と軸部３とから構成され、軸部３は拡径頭部２側の大径軸部３ａと先端側の小径軸部３ｂとからなり、さらに大径軸部３ａと小径軸部３ｂとはテーパ状の段部５を介して接続されている。先端部６は先鋭に形成されている。
【００２０】
次に、小径軸部３ｂは従来の２段ピンよりも小径に形成され、その周面には複数の縦溝７が形成されている。縦溝７は、軸方向に平行に連続形成されている。なお、縦溝７はＶ字形に限らない。Ｕ字形でもよい。さらに、縦溝７は小径軸部３ｂの先端まで延長形成してもよい（他の例も同様）。
【００２１】
これに対し、大径軸部３ａの周面にはローレット溝８が形成されている。なお、ローレット溝８は大径軸部３ａ全体に形成してもよい（他の例も同様）。
【００２２】
上記構成の２段ピン１をコンクリートに打ち込む場合の例について説明する。釘打機に２段ピン１を装填して上記コンクリート９に向けて打ち出すと、２段ピン１の先端はコンクリート９内に進入して打込まれる。
【００２３】
このとき、先端側の小径軸部３ｂは細く形成されているので、貫入抵抗は比較的小さい。しかも、縦溝７が形成されているので、縦溝７の溝底を結んだ線の内側に形成された面積は小さくなる。このため、打ち込み初期の小径軸部３ｂの進入抵抗も縦溝７がない場合に比べてさらに小さくなる。さらに、２段ピンは縦溝７の方向に進入しようとするから、２段ピン１の貫入方向が安定する。したがって、打ち込み時の貫入性能が向上し、超高強度コンクリートに対しても曲がらずに真直方向に確実に貫入させることができる。しかも、打ち込み後は、縦溝７と貫入孔１０との間の接触面積は大きいので、引き抜き耐力も向上する。
【００２４】
さらに、大径軸部３ａにはローレット溝８が形成されているから、大径軸部３ａの表面積は大きい。したがって、打ちこみ終了後はコンクリート９の貫入孔１０と２段ピン１の軸部３との接触面積が非常に大きくなり、また溝の方向が引き抜き方向とは異なるから、コンクリートの貫入孔１０からの引き抜きに対する抵抗が大きくなり、保持力が十分に確保され、引抜き耐力が格段に向上する。しかも、ローレット溝８の場合は、らせん状の溝とは異なり、打ち込み時の貫入方向に影響を与えないので、打ち込みが損なわれることがない。
【００２５】
なお、小径軸部３ｂは小径に形成されて貫入抵抗は小さくなっているので、図２に示されるように、小径軸部３ｂの周面は滑面として形成してもよい。
【００２６】
次に、保持力を強化するためには、大径軸部３ａの周面にローレット溝８を形成するものに限定されない。例えば、図３に示されるように、大径軸部３ａと小径軸部３ｂを含む全周面に、ソリッド塗料やコーティング剤などの薬剤１１を塗布するようにしてもよい。
【００２７】
薬剤１１は貫入後にコンクリートから抜けにくくする保持力を強化するもので、このような薬剤１１としては、株式会社スリーボンド製のプレコートボルトメック加工による水性エポキシタイプの商標名「スリーボンド２４４６」や、日本カプセルプロダクツ株式会社製の液体や固体の接着主剤をマイクロカプセルに内包した接着剤などを用いればよい。
【００２８】
上記構成によれば、コンクリートに打ち込み時には、上記薬剤１１の潤滑機能により貫入抵抗が低くなり、高硬度コンクリートに対しても容易に貫入することができる。また、貫入後は薬剤１１が２段ピン１をコンクリート貫入孔に接着するので、２段ピン１の保持力は十分に確保され、引抜き耐力が格段に向上する。
【００２９】
したがって、図のように、２段ピン１自体は大径軸部３ａと小径軸部３ｂの両方に縦溝７を形成して貫入抵抗を小さくして貫入しやすくするとともに、薬剤１１を塗布することで保持力を強化することができる。
【００３０】
また、薬剤１１は必ずしも大径軸部３ａと小径軸部３ｂの全周面に塗布する必要はない。図４のように、小径軸部３ｂだけでもよく、また同図５のように大径軸部３ａにのみ塗布する構成であってもよい。
【００３１】
さらに、大径軸部３ａにローレット溝８が形成されている構成の２段ピン１であっても、図６のように大径軸部３ａと小径軸部３ｂの全周面に薬剤１１を塗布してもよく、あるいは図７のように小径軸部３ｂにのみ薬剤１１を塗布しても、図８のように、大径軸部３ａにのみ薬剤１１を塗布する構成であってもよい。また、小径軸部３ｂ全体と大径軸部３ａの半分だけ塗布するということであってもよい。
【００３２】
［実施形態２］
図９は本発明に係る３段の段付きコンクリートピン（以下単に３段ピンという）の斜視図である。３段ピン４は拡径頭部１２と軸部１３とから構成され、軸部１３は拡径頭部２側の大径軸部１３ａと、中間の中間径軸部１３ｃと、先端側の小径軸部１３ｂと大径軸部１３ａとをテーパ状の段部５を介して接続してなるコンクリートピンである。
【００３３】
上記構成によれば、先端の小径軸部１３ｂを従来の２段ピンより細くすることで貫入抵抗を減らし、中間径軸部１３ｃと大径軸部１３ａと徐々に径を大きくしていくことで座屈が生じにくくし、さらに大径軸部１３ａを上述の２段ピン１より太くすることで保持力を大きくすることができる。
【００３４】
なお、大径軸部１３ａを太くすることで保持力が確保できるので、図１０に示されるように、全体に複数の縦溝７を形成することにより、貫入抵抗を減らして超高強度コンクリートにも確実に打ち込むことができ、また貫入方向も安定させることができる。例えば、図１１のように、小径軸部１３ｂにのみ縦溝７を形成してもよく、あるいは図１２のように中間径軸部１３ｃと小径軸部１３ｂに縦溝７を形成する構成であってもよい。
【００３５】
また、貫入抵抗の低減と保持力の強化をより効果的に得るために、図１３のように、中間径軸部１３ｃと小径軸部１３ｂに縦溝７を形成し、大径軸部１３ａにはローレット溝８を形成するように構成してもよい。
【００３６】
次に、保持力を強化するためには、上述の例に限定されない。例えば、図１４に示されるように、大径軸部１３ａと中間径軸部１３ｃと小径軸部１３ｂを含む全周面に上述の薬剤１１を塗布するようにしてもよい。これによれば、上述に示したように、コンクリートに打ち込み時には、上記薬剤１１の潤滑機能により貫入抵抗が低くなり、高硬度コンクリートに対しても容易に貫入することができる。また、貫入後は薬剤１１が３段ピン４がコンクリート貫入孔に接着するので、３段ピン４の保持力は十分に確保され、引抜き耐力が格段に向上する。
【００３７】
また、薬剤１１は必ずしも大径軸部１３ａと小径軸部１３ｂの全周面に塗布する必要はない。図１５のように、小径軸部１３ｂだけでもよく、また図１６のように大径軸部１３ａにのみ塗布する構成であってもよい。小径軸部１３ｂ全体と中間径軸部１３ｃの半分だけ塗布するということであってもよい。
【００３８】
なお、薬剤１１は縦溝７やローレット溝８が形成された３段ピン４に塗布してもよい。
【図面の簡単な説明】
【００３９】
【図１】本発明に係る段付きコンクリート２段ピンのコンクリートに打ち込まれた状態の斜視図
【図２】上記２段ピンの他の形態の斜視図
【図３】上記２段ピンの別の形態の斜視図
【図４】上記２段ピンのさらに他の形態の斜視図
【図５】上記２段ピンのさらに別の形態の斜視図
【図６】上記２段ピンのさらに他の形態の斜視図
【図７】上記２段ピンのさらに別の形態の斜視図
【図８】上記２段ピンのさらに他の形態の斜視図
【図９】本発明に係る段付きコンクリート３段ピンの斜視図
【図１０】上記２段ピンの他の形態の斜視図
【図１１】上記２段ピンの別の形態の斜視図
【図１２】上記２段ピンのさらに他の形態の斜視図
【図１３】上記２段ピンのさらに別の形態の斜視図
【図１４】上記２段ピンのさらに他の形態の斜視図
【図１５】上記２段ピンのさらに別の形態の斜視図
【図１６】上記２段ピンのさらに他の形態の斜視図
【符号の説明】
【００４０】
１、４  段付きコンクリートピン
３ａ、１３ａ  大径軸部
３ｂ、１３ｂ  小径軸部
１３ｃ    中間径軸部
７  縦溝
【図１】
2008115995.tif 000003
【図２】
2008115995.tif 000004
【図３】
2008115995.tif 000005
【図４】
2008115995.tif 000006
【図５】
2008115995.tif 000007
【図６】
2008115995.tif 000008
【図７】
2008115995.tif 000009
【図８】
2008115995.tif 000010
【図９】
2008115995.tif 000011
【図１０】
2008115995.tif 000012
【図１１】
2008115995.tif 000013
【図１２】
2008115995.tif 000014
【図１３】
2008115995.tif 000015
【図１４】
2008115995.tif 000016
【図１５】
2008115995.tif 000017
【図１６】
2008115995.tif 000018